(57)【特許請求の範囲】
【請求項１】
外部に凹部および当該凹部に設けられる開口部を備える筐体と、
当該筐体の内部に配される回路基板と、
前記回路基板に実装された電源端子であって、前記開口部から露出する電源端子と、
前記筐体の前記凹部に収容され、前記電源端子を介して前記回路基板への給電を行う電池と、を備え、
前記電源端子は、本体と、当該本体から突出する接触子と、前記本体から前記接触子の突出方向と同じ方向に延在される延在部とを有し、前記本体および前記延在部により前記筺体の前記開口部を塞ぐ
携帯電子機器。
【請求項２】
前記凹部は、底面と側壁部とからなり、
前記開口部は、前記底面と前記側壁部とに跨って形成され、
前記電源端子は、前記本体が前記側壁部と連続面を形成するとともに前記延在部が前記底面と連続面を形成して前記開口部を塞ぐ
請求項１に記載の携帯電子機器。
【請求項３】
前記接触子は、前記電池が前記凹部に収容された状態で前記電池に押圧される
請求項１または２に記載の携帯電子機器。
【請求項４】
外部に凹部および当該凹部に設けられる開口部を備える筐体の内部に配される回路基板に実装されて前記筐体に形成された開口部から露出すると共に、前記筐体の前記凹部に収容される電池から前記回路基板への電源供給を行うための電源端子であって、
本体と、当該本体から突出する接触子と、前記本体から前記接触子の突出方向と同じ方向に延在される延在部とを有し、前記本体および前記延在部により前記筺体の前記開口部を塞ぐ
電源端子。
【発明の詳細な説明】
【技術分野】
【０００１】
本発明は、筐体内部に設けられる回路基板に対して電池から電源供給を経由させるための電源端子を備える携帯電子機器、およびこの電源端子に関する。
【背景技術】
【０００２】
このような電子機器では、図１２に示すように電子機器の筐体内部に収容される回路基板２９と、筐体の一部を構成する筐体片１２３と、筐体片の外側（回路基板１２９の対向する側と反対側）に凹状に設けられた電池収納室１２３ａと、回路基板１２９に実装されて電池収容室１２３ａの側壁１２３ｂの孔部１２３ｃにて、少なくとも電源端子１８１の備える金属にて形成された弾性を有する接触子１８３の一部が露出する電源端子１８１とを備えて構成されている。そして、電池収納室１２３ａに収容したバッテリ１３０は、その電池接点１３０ａが接触子１８３に当接することで回路基板１２９への給電を行う（例えば特許文献１）。
【特許文献１】特開２００２−９９１２号公報
【発明の開示】
【発明が解決しようとする課題】
【０００３】
図１２に示される携帯電子機器は、接触子１８３の露出する孔部１２３ｃは筐体を構成する筐体片における電池収納室１２３ａの側壁１２３ｂの一部にのみ設けられている。電源端子１８１の接触子１８３が電池収納室１２３ａに露出するよう取り付けるためには接触子１８３がこの孔部１２３ｃをくぐるように筐体片１２３に対して回路基板１２９を傾けながら組み込まねばならず、組み込み工程上多少ながらも時間を要することとなっていた。
【０００４】
また、昨今の携帯電子機器は多機能化が進み、回路基板に実装される部品の点数が増加するとともに機器のサイズが大型化しており、市場からはその小型化が要求されてきている。
【０００５】
さらに、機器を携帯する都合上、埃や水などの異物の浸入にも対処する必要があった。
【０００６】
本発明の目的は、携帯電子機器において、組み立て工程の容易化を図りつつも機器を小型化し、なおかつ異物の進入を防ぐことのできる構成を有する携帯電子機器およびその電源端子を提供することにある。
【課題を解決するための手段】
【０００７】
本発明の携帯電子機器は、外部に凹部および当該凹部に設けられる開口部を備える筐体と、当該筐体の内部に配される回路基板と、前記回路基板に実装された電源端子であって、前記開口部から露出する電源端子と、前記筐体の前記凹部に収容され、前記電源端子を介して前記回路基板への給電を行う電池と、を備え、前記電源端子は、本体と、当該本体から突出する接触子と、前記本体から前記接触子の突出方向と同じ方向に延在される延在部とを有し、前記本体および前記延在部により前記筺体の前記開口部を塞ぐことを特徴とする。
【０００８】
また、前記凹部は、底面と側壁部とからなり、前記開口部は、前記底面と前記側壁部とに跨って形成され、前記電源端子は、前記本体が前記側壁部と連続面を形成するとともに前記延在部が前記底面と連続面を形成して前記開口部を塞いでもよい。
【０００９】
また、前記接触子は、前記電池が前記凹部に収容された状態で前記電池に押圧されてもよい。
【００１６】
さらに、本発明の電源端子は、外部に凹部および当該凹部に設けられる開口部を備える筐体の内部に配される回路基板に実装されて前記筐体に形成された開口部から露出すると共に、前記筐体の前記凹部に収容される電池から前記回路基板への電源供給を行うための電源端子であって、本体と、当該本体から突出する接触子と、前記本体から前記接触子の突出方向と同じ方向に延在される延在部とを有し、前記本体および前記延在部により前記筺体の前記開口部を塞ぐことを特徴とする。
【発明の効果】
【００１７】
本発明によれば、組み立て工程の容易化を図りつつも機器を小型化し、なおかつ異物の進入を防ぐことができる構成を有するおよび携帯電子機器を得ることが出来る。
【発明を実施するための最良の形態】
【００１８】
図１は、本発明の実施形態に係る電子機器としての携帯電話機１の外観を開状態で示す斜視図である。携帯電話機１は、いわゆる折り畳み式の携帯電話機として構成されており、開状態と閉状態との間で互いに回動可能に連結された送話筐体２及び受話筐体３を備えている。
【００１９】
送話筐体２及び受話筐体３は、それぞれの端部が回動の中心となる連結部４により連結されることにより携帯電話機１全体の筐体を構成するようになっている。送話筐体２及び受話筐体３は、それぞれ概ね薄型直方体状に形成されており、閉状態では互いに重ねあわされて互いの輪郭が略一致する。連結部４は、送話筐体２の端部に形成された凹部１０に、受話筐体３の端部に形成された凸部９が嵌合して構成されている。
【００２０】
送話筐体２には、例えば、通話用のマイクロフォン１０４、通信のための内蔵アンテナ４０（図３参照）、ユーザの操作を受け付ける操作部６が設けられている。受話筐体３には、例えば、通話用のスピーカ１１０、画像や文字を表示するメイン表示部７が設けられ、さらに図示を略するが受話筐体３背面には、報知用のスピーカ及びサブ表示部、カメラが設けられている。
【００２１】
図２は、送話筐体２の分解斜視図である。
【００２２】
図１及び図２に示すように、送話筐体２は、閉状態で受話筐体３に対向する面側のフロントケース２１と、その背面側のリアケース２２と、リアケース２２の背面側に被せられる蓋体２３とを備えている。フロントケース２１、リアケース２２及び蓋体２３は、それぞれ筐体を構成する筐体片であって、例えば非導電性の樹脂によりそれぞれ成形されている。フロントケース２１とリアケース２２とは、例えば、一方に挿通されたネジが他方に設けられたネジボスに螺合されることにより互いに固定されている。
【００２３】
図２に示すように、フロントケース２１とリアケース２２との間には、フロントケース２１側（紙面上方側）から、操作部６の各種キー２４が配置されたキーシート２５、各種キー２４に対応する複数の押圧スイッチ２６が配置されたフレキシブルプリント配線板（ＦＰＣ）２７、ＦＰＣ２７が載置されるシールドケース２８、及び、回路基板２９が積層的に配置されている。リアケース２２と蓋体２３との間にはバッテリ３０が収納されている。
【００２４】
図３は、蓋体２３及びリアケース２２等の一部の部材を取り付けていない状態、つまりフロントケース２１にキーシート２５、ＦＰＣ２７、シールドケース２８、回路基板２９を組み込み、なおかつ受話筐体３に対して接続された送話筐体２をリアケース２２の取り付けられる側から携帯電話機１（閉状態）を示す斜視図である。
【００２５】
連結部４には、凸部９及び凹部１０の摺動面に孔部が形成されている。回転軸方向の一方の孔部には第１ヒンジパーツ４４が、他方の孔部には第２ヒンジパーツ４５（図３）が挿通されている。第１ヒンジパーツ４４は、例えば、凸部９の摺動面の孔部に嵌合する筒状の部材と、凹部１０の摺動面の孔部に嵌合する筒状の部材とが互いに相対回転可能に、かつ、互いの空洞部を連通するように連結されて構成されている。第２ヒンジパーツ（不図示）は、例えば、凸部９の第１ヒンジパーツ４４の設けられる側と反対側摺動面の孔部に嵌合する部材と、凹部１０の摺動面の孔部に嵌合する部材とが互いに相対回転可能に連結されて構成され、開閉に伴うクリック感を生じさせる機構を備えている。送話筐体２の回路基板２９と受話筐体３の表示用基板（不図示）とは、ケーブル４６により電気的に接続されている。ケーブル４６は、送話筐体２の回路基板２９の第１実装面２９ｂから延び、第１ヒンジパーツ４４に挿通されて凸部９内に入り、表示用基板３７や撮像用基板９３に到達している。
【００２６】
第２ヒンジパーツ（不図示）は、例えば、凸部９の第１ヒンジパーツ４４の設けられる側と反対側摺動面の孔部に嵌合する部材と、凹部１０の摺動面の孔部に嵌合する部材とが互いに相対回転可能に連結されて構成され、開閉に伴うクリック感を生じさせる機構を備えている。送話筐体２の回路基板２９と受話筐体３の表示用基板（不図示）とは、ケーブル４６により電気的に接続されている。ケーブル４６は、送話筐体２の回路基板２９の第１実装面２９ｂから延び、第１ヒンジパーツ４４に挿通されて凸部９内に入り、受話筐体３内部の表示用基板や撮像用基板に到達している。
【００２７】
回路基板２９は、例えば樹脂をベースとしたプリント配線基板により構成され、フロントケース２１側の第２実装面２９ａと、その背面側の第１実装面２９ｂとを有している。なお、第２実装面２９ａ及び第１実装面２９ｂは、送話筐体２を正面から見たとき、送話筐体２の面積から連結部４の面積を差し引いた面積と略同程度の面積を有している。回路基板２９は、フロントケース２１の側面内側やフロントケース２１とリアケース２２とを固定するためのネジボスなどに当接することにより、実装面に沿う方向において送話筐体２に対して位置決めされている。
【００２８】
回路基板２９の第２実装面２９ａ及び第１実装面２９ｂには配線パターンが形成されており、各種の電子部品４１が設けられ、電子回路４２が構成されている。例えば、回路基板２９には、通信処理部（不図示）や操作部６からの信号等に基づいてメイン表示部７等の制御を行う制御部（不図示）等が設けられている。さらに第２実装面２９ａ及び第１実装面２９ｂには、各実装面を複数の領域に区画するようにグランドパターン層４３が形成され、シールドケース２８など静電対策部品が電気的に接続されている。
【００２９】
そして、回路基板２９の第１実装面２９ｂには、図４に示される電源端子８１が実装される。電源端子８１は、樹脂などの絶縁物により形成される本体８２と、複数の接触子８３、不図示の実装脚部とを有している。実装脚部は、固定ピンと、複数の接触子８３それぞれが導通される複数の導電部とを有しており、複数の導電部が回路基板２９のパターンの電源供給のための必要箇所に導通可能になるよう、第１実装面２９ｂの電源端子８１の実装箇所に設けられた穴に対して固定ピンが貫通挿入されて固定されるとともに導電部が必要箇所に半田付けされて固定される。すなわち、電源端子８１は、回路基板２９の第１実装面２９ｂに対して垂直となる方向で実装される。
【００３０】
また、複数の接触端子８３それぞれは電源端子８１の本体８２から突出して設けられ、内部にバネなどの弾性体を有して筒状の金属体により構成されるとともに、その突出方向に対して埋没方向に伸縮可能な弾性が付されている。
【００３１】
接触子８３と電池収容部２２ａとの関係について、図５（ａ）および図６を用いて説明する。なお、図６は図５（ｂ）における直線Ｐ−Ｐ´における断面の一部を示す図である。
【００３２】
筐体片であるリアケース２２には、回路基板２９と対応する平面Ｂと反対側、つまり筐体外側に平面Ａと底面に備える電池収納室２２が形成されている。この電池収容部２２ａは、平面Ａを側壁２２ｂで囲うように形成されている。
【００３３】
さて、図６に示すように、接触子８３の突出方向は電源端子８１の実装方向に対して基本的に垂直な方向であって、平面Ａおよび第１実装面２９ｂと略平行な方向としている。そして、接触子８３は、突出方向に対して直交かつ平面Ａと平行な方向に複数併設されている。バッテリ３０をリアケース２２の電池収容室２２ａに収める際には、バッテリ３０の一端に有する電池接点３０ａを先に電池収容室２２ａに収めて接触子８３に当接させた後に接触子８３を本体８２へ埋没させる方向に押圧するよう、電池接点３０ａの設けられる端部と反対側の端部を押圧しながらバッテリ３０をスライドさせ、電池収容部２２ａ内に納めるため、接触子８３の電源端子８１の本体８２からの突出方向（すなわち埋没方向）は電池収容室２２ａの底面（平面Ａ）と平行な方向になるよう設けられている。
【００３４】
また、底面を形成する平面Ａとその反対側である平面Ｂは、ともに第１実装面２９ｂと平行に形成されており、この空隙に同一の高さとした電子部品４１を整然と配していることにより、携帯電話機１自体を小型化するよう構成している。すなわち、接触子８３の突出する方向は、第１実装面２９ｂとも平行である。
【００３５】
なお、バッテリ３０の収容作業時のことも考慮して、接触子８３の突出する方向を電池収容室２２ａの底面（第１実装面２９ｂ）と平行な方向から若干オフセットさせて、電池接点３０ａに当接する先端部分が電池収容室２２ａの底面（第１実装面２９ｂ）から遠ざかる方向に向けておくとバッテリ３０が収容しやすくなる。しかし、少なくとも電池収容室２２ａの底面（第１実装面２９ｂ）と平行な方向に対して、接触子８３が電源端子８１の本体８２からの突出する（すなわち埋没可能）ように構成されていなければ、収容されたバッテリ３０の電池接点３０ａに対して接触子８３の復元力をもって一定以上の接触圧を確保することはできないため、概ね接触子８３の突出する方向は電池収容室２２ａの底面（第１実装面２９ｂ）と平行な方向に一致させてある。
【００３６】
このような構成の電源端子８１の場合、回路基板２９に対して垂直な方向への移動のみでリアケース２２を取り付けるためには、接触子８３のリアケース２２への干渉を考慮し、電池収容部２２ａ底面の端部から側壁２２ｂの一部にかけて切り欠いた開口部２２ｃの形成が必要となる。しかしながら、この場合には、図５（ｂ）のＫ１に示される領域に、すなわち図６における少なくとも幅Ｍ（接触子８３の突出量）の大きさの開口が残ってしまい、この開口より水や埃などの異物が浸入してしまう恐れが残る。
【００３７】
また、機器の小型化を考慮すると、接触子８３下部、すなわち回路基板２９の接触子８３に面する領域が有効利用されておらず、ここに電子部品を配置したいとの要望もある。
【００３８】
次に、電源端子８１の構成を改良した電源端子の例を図７に示す。なお、構成上電源端子８１と同じ箇所については同じ符号を用い、説明を省略する。なお、回路基板２９への実装については電源端子８１の場合と同じである。
【００３９】
電源端子８１１は、本体８２から延在される延在部８４を有する。延在部８４は、電源端子８１１の実装方向における、接触子８３よりも回路基板２９側（すなわち実装基端側）に本体８２から連続して一体に形成される。本体８２からの延在方向は、接触子８３の突出方向と同一、あるいは実装方向に直交して回路基板２９・平面Ａと平行な方向である。延在部８４の接触子８３に対向する箇所には平面Ｄが形成されている。
【００４０】
この平面Ｄは、延在部８４の延在方向に直交する方向、特に複数の接触子８３の配列方向に一致する方向の幅を有しており、この幅は少なくとも接触子８３全てをカバーできるだけの長さを有している。また、延在部８４の延在長さ（この例では延在方向に一致する平面Ｄの長さでもある）は、少なくとも接触子８３の突出量よりは長く、かつ開口部２２ｃにおける側壁に該当する箇所から平面Ａにおける開口縁部分までの長さに収まる長さであって、延在部８４の先端が開口部２２ｃの縁と当接できる長さであることが好ましい。
【００４１】
図８（ａ）および（ｂ）は、電源端子８１１を取り付けた回路基板２９に、リアケース２２を取り付けた状態を示す図である。また、図９は図８（ｂ）におけるリアケース２２の直線Ｑ−Ｑ´断面を示す図である。電源端子８１の説明の場合と同様、平面Ａの端部について少なくとも幅Ｍの長さを切り欠くとともに、この切り欠きに隣接する側壁２２ｂの一部についても電源端子８１１が第１の実装面２９ｂに対する高さ方向において収まるように切り欠き、これら互いの切り欠きが連続することにより開口部２２ｃが形成されている。この構成により、リアケース２２を回路基板２９の取り付けられたフロントケース２１に組み付ける際に、リアケース２２を第１の実装面２９ｂに対して傾けずとも（垂直方向への移動のみで）開口部２２ｃに対して接触子８３が干渉することなく取り付けることが出来る。そして、電源端子８１１の接触子８３の設けられている面が、電池収容部２２ａの側壁２２ｂの開口部２２ｃにて切り欠かれた箇所に入り込むと共に側壁の一部をなす。
【００４２】
また、開口部２２ｃにおいて、平面Ｄが平面Ａと連続する平面を形成する。すなわち、延在部８４は、電源端子８１の実装方向における接触子８３と回路基板２９との間の領域において、平面Ｄと電源端子の基端間の距離が平面Ａと第1の実装面２９ｂとの間の距離に一致するように接触子８３の設けられる面に形成されている。さらに、接触子８３の配列方向（図の例では３つの接触子８３の並び）においても、平面Ｄは接触子８３を全てカバーできるだけの長さの幅を有し、この幅と同一方向において開口部２２ｃにもこの平面Ｄの幅と同じあるいはわずかに大きい幅が形成され、リアケース２２の取り付け時に接触子８３が開口部２２ｃを垂直な方向に潜り抜けることが可能である。さらに、接触子８３の配列方向においても平面Ｄと平面Ａが連続面を形成する。
【００４３】
このような構成により、電源端子８１１が実装される回路基板２９を有する携帯電話機１は、図８（ｂ）に示す領域Ｋ２にて、平面Ｄにより電池収容部２２ａの底面の平面Ａの切り欠きを塞ぐと共に、電源端子８１１の本体８２自体（特に接触子８３の設けられる面）により側壁２２ｂの切り欠きを塞ぐことができる。すなわち、リアケース２２の組み込み工程を容易にしつつも、電源端子８１１により開口部２２ｃを塞ぐことができるため、ゴミや埃の浸入を防止することができ、バッテリ３０が収容されていない状態においても回路基板２９が見えてしまって美観を損ねたりすることがなくなる。
【００４４】
さらに、上述したようにリアケース２２組み立て後に開口部２２ｃが塞がれるため、図９に示すように、延在部８４は回路基板２９との間に所定の空隙を有するように形成し、この空隙部分を用いて第１の実装面２９ｂの本体８２の実装箇所近傍にさらなる電子部品Ｘを配する場合にも、電子部品Ｘが見えて美観を損ねたり、ユーザが電子部品Ｘに触れてしまったりすることなどを防止することができる。この様に電子部品Ｘを回路基板２９の電源端子８１１の延在部８４との間の空隙に配する場合には、電子部品Ｘを回路基板２９上に配した後に、電源端子８１１を取り付ける手順をとると、延在部８４が干渉せず実装工程が容易となる。
【００４５】
なお、電池収容部２２ａにバッテリ３０を収容する際、側壁２２ｂと側壁２２ｂに連続する電源端子８１１の本体８２の面とにより囲われる領域内において、平面Ａと平面Ｄとにより構成する連続した平面上にバッテリ３０が配される。
【００４６】
次に、電源端子８１１の構成をさらに改良した電源端子８１２の例を図１０に示す。なお、構成上電源端子８１、電源端子８１１と重複する箇所については同じ符号を用い、説明を省略する。電源端子８１２についても、回路基板２９への実装については電源端子８１の場合と同様である。
【００４７】
電源端子８１２は、電源端子８１１と同様、本体８２から延在される延在部８４を有する。延在部８４は、その延在方向先端において図示するように段形状Ｅを有する。段形状Ｅは、延在部８４における平面Ｄの設けられる側と反対側（すなわち第１の実装面２９ｂに対向する側）を、平面部Ｄよりも延在量を長くすることにより形成されている。なお、平面Ｄは、電源端子８１１の説明と同様、延在部８４の延在方向に直交する方向、特に複数の接触子８３の配列方向に一致する方向の幅を有しており、この幅は少なくとも接触子８３全てをカバーできるだけの長さを有している。また、延在方向に一致する平面Ｄの長さについても、電源端子８１１の場合と同様に、少なくとも接触子８３の突出量より長くかつ開口部２２ｃにおける側壁に該当する箇所から平面Ａにおける開口縁部分までの長さに収まる長さであって、延在部８４の先端が開口部２２ｃの縁と当接できる長さであることが好ましい。
【００４８】
図１１は、電源端子８１２を取り付けた回路基板２９に、リアケース２２を取り付けた状態を示す図である。また、リアケース２２は、平面Ａの端部について少なくとも幅Ｍの長さを切り欠くとともに、この切り欠きに隣接する側壁２２ｂの一部についても電源端子８１１が第１の実装面２９ｂに対する高さ方向において収まるように切り欠き、これら互いの切り欠きが連続することにより開口部２２ｃが形成されている。これにより、電源端子８１１の場合と同様に、リアケース２２を第１の実装面２９ｂに対して傾けずとも（垂直方向への移動のみで）開口部２２ｃに対して接触子８３が干渉することなく取り付けることが出来る。
【００４９】
そして、平面Ａの反対側（すなわち第1の実装面２９ｂに対向する側）の面の端部における開口部２２ｃの周縁部を切り欠いて第２の段形状Ｃを形成する。この第２の段形状Ｃは、リアケース２２を回路基板２９の取り付けられたフロントケース２１に組み付ける際に電源端子８１２がリアケース２２の開口部に組み込まれると、前述の第１の段形状Ｅと噛み合うとともに、平面Ｄが平面Ａと連続する平面を形成する。また、電源端子８１１の場合と同様、電源端子８１２の接触子８３の設けられている面が、電池収容部２２ａの側壁２２ｂの開口部２２ｃにて切り欠かれた箇所に入り込むと共に側壁の一部をなす。
【００５０】
この構成により、電源端子８１２が実装される回路基板２９を有する携帯電話機１は、平面Ｄにより電池収容部２２ａの底面の平面Ａの切り欠きを塞ぐだけでなく、第１の段形状Ｅと第２の段形状Ｃとの噛み合わせにより、電池収容室２２ａと筐体内側との間の隙間を屈折状態にすることが出来、防塵・防水性を高めるだけでなく、回路基板２９に設けられた発光部材による光の漏れなども防止することができるようになる。また、噛み合わせ形状を形成する第１の段形状Ｅの突出箇所が、第２の段形状Ｃの切り欠き箇所に合わさり、延在部８４の方がリアケース２２よりも筐体内部側に配される構成をとっているため、リアケース２２の取り付け時において、やはり電源端子８１２が干渉することが無い。
【００５１】
なお、電源端子８１２の例においては第１の段形状Ｅと第２の段形状Ｃは、略矩形状の開口部２２ｃおよび延在部の一辺についてのみ設けた例を示したが、開口部および延在部８４の全周に亘って設けることにより、さらに防塵・防水性を高めることができる。
【００５２】
また、第１の段形状Ｅが形成されていれば、第２の段形状Ｃを設ける代わりに、平面Ａ−平面Ｂ間の厚さを薄く形成し、電源端子８１２が取り付けられた際に、第１の段形状Ｅの先端突出部分が開口部２２ｃにおいて平面Ｂ側に重なるとともに、開口部の内側面に第１の段形状の非突出先端部分が隣接するように形成しても、電池収容室２２ａ内において回路基板２９が露出することが無くなるという同様の効果を得ることもできる。
【００５３】
また、電源端子８１１の場合と同様に図１１に示すように、延在部８４を回路基板２９との間に所定の空隙を有するように形成しておくことにより、空隙部分を用いて第１の実装面２９ｂの本体８２の実装箇所近傍にさらなる電子部品Ｘを配する場合にも、リアケース２２を取り付けた後に開口部２２ｃが塞がれるため、電子部品Ｘが開口部２２ｃから見えて美観を損ねたり、ユーザが電子部品Ｘに触れてしまうことなども防止することができる。実装手順に関しても、電源端子８１１の場合と同様に電子部品Ｘを回路基板２９上に配した後に、電源端子８１２を取り付ける手順をとることが好ましい。
【００５４】
最後に、このように構成した電源端子を有する携帯電話機１において、バッテリ３０は、電池収容室２２ａに電池接点３０ａを有する一端を先に挿入して接触子８３に当接させ、他端を押圧しながらスライドさせてバッテリ３０全体を電池収容室２２ａ内に埋没させると、接触子８３の有する弾性による突出方向への付勢力によりバッテリ３０が他端の方向に押圧されて、側壁２２ｂとの間でバッテリ３０は固定されて脱落しにくくなる。
【００５５】
以上説明したように、本発明による電源端子およびこれを有する携帯電子機器の構成によれば、筐体片と回路基板との互いの組み込みの際の工程に関して容易化を図ることができる。
【００５６】
すなわち、本発明の構成により、回路基板をフロントケース２１側に固定したまま、回路基板２９に対して垂直な方向にリアケース２３を乗せることにより電源端子の接触子が干渉することなくリアケース２２を取り付けることができる。具体的には、回路基板２９を筐体（送話筐体３）に組み込む際には、フロントケース２１とリアケース２２とのいずれか一方に先に組み込んだ上で、他方を取り付けることになるが、従来のように接触子が干渉する構成の場合にはリアケース２２に先に回路基板２９を組み込まざるを得ず、本発明の構成によればフロントケース２１側、リアケース２２側のいずれに先に回路基板２９を組み込んでも容易に筐体を完成させることができるため、回路基板２９の載置以外の工程の都合により、フロントケース２１側かリアケース２２側のいずれに先に回路基板２９を組み込むことにするかという設計上・工程上の自由度を生じさせることもできる。
【００５７】
また、このように組立工程上有利にしつつも、電池収容室における異物の浸入を防止することができ、なおかつ回路基板上における電源端子近傍への部品の実装に際しても弊害を生じることなく可能として機器を小型化することも可能となる。
【００５８】
なお、本発明の説明において、携帯電子機器の一例として携帯電話機を用いて説明を行ったがこれに限定されず、ＰＨＳ（Ｐｅｒｓｏｎａｌ  Ｈａｎｄｙｐｈｏｎｅ  Ｓｙｓｔｅｍ）や電子手帳やデジタルカメラや携帯型ゲーム機およびナビゲーションシステムなどにも適用可能であることは言うまでもない。
【図面の簡単な説明】
【００５９】
【図１】本発明の適用される携帯電話１を示す外観斜視図。
【図２】図１の携帯電話１の分解斜視図。
【図３】図１の携帯電話１を異なる角度からみた分解斜視図。
【図４】電源端子８１を示す斜視図。
【図５】電源端子８１とリアケース２２との相関を示す図。
【図６】電源端子８１とリアケース２２との相関を示す断面図。
【図７】電源端子８１１を示す斜視図。
【図８】電源端子８１１とリアケース２２との相関を示す図。
【図９】電源端子８１１とリアケース２２との相関を示す断面図。
【図１０】電源端子８１２を示す斜視図。
【図１１】電源端子８１２とリアケース２２との相関を示す断面図。
【図１２】従来の電源端子１８１とリアケース１２２との相関を示す断面図。
【符号の説明】
【００６０】
１・・・携帯電話機
２１・・・フロントケース
２２・・・リアケース
２２ａ・・・電池収容室
２２ｂ・・・側壁
２２ｃ・・・開口部
２９・・・回路基板
２９ａ・・・第２の実装面
２９ｂ・・・第１の実装面
３０・・・バッテリ（電池）
３０ａ・・・電池接点
１８１、８１、８１１、８１２・・・電源端子
８２・・・本体
８３・・・接触子
８４・・・延在部
Ａ、Ｂ、Ｄ・・・平面
Ｃ・・・第２の段形状
Ｅ・・・第１の段形状
【図１】
0005392974.tif 000002
【図２】
0005392974.tif 000003
【図３】
0005392974.tif 000004
【図４】
0005392974.tif 000005
【図５】
0005392974.tif 000006
【図６】
0005392974.tif 000007
【図７】
0005392974.tif 000008
【図８】
0005392974.tif 000009
【図９】
0005392974.tif 000010
【図１０】
0005392974.tif 000011
【図１１】
0005392974.tif 000012
【図１２】
0005392974.tif 000013